(57)【要約】【課題】  接眼レンズ系の工夫により簡易な構成でありながら視野を確保した被写体観察が行える見やすい観察光学系およびそれを備えた撮像装置を提供する。【解決手段】    像正立光学系は、複数の反射面を有し、接眼光学系が、スクリーン側から射出瞳側へ順に、負屈折力の第１レンズ、スクリーン側と射出瞳側の双方が凸面である第２レンズ、射出瞳側に凹面を向けたメニスカス形状である負屈折力の第３レンズからなり、前記第３レンズが以下の条件式（１）を満足することを特徴とする。    ０．１３＜DL3／ｆe＜０．３０                            ・・・（１）ただし、DL3は第３レンズの光軸上の厚み、ｆeは接眼レンズ系の焦点距離であり、接眼レンズ系がレンズの移動により視度の調整が可能な場合は−１ディオプターにおける焦点距離、とする。【選択図】図２
2009251323.tif 000002
【特許請求の範囲】
【請求項１】
撮影レンズによる物体像が形成されるスクリーンと、
前記スクリーン上に結像された物体像を正立化する像正立光学系と、
前記像正立光学系から射出する光束を観察者の眼球に導く正屈折力の接眼レンズ系を備えた観察光学系であって、
前記像正立光学系は、複数の反射面を有し、
前記接眼光学系が、スクリーン側から射出瞳側へ順に、
負屈折力の第１レンズ、
スクリーン側と射出瞳側の双方が凸面である第２レンズ、
射出瞳側に凹面を向けたメニスカス形状である負屈折力の第３レンズからなり、
前記第３レンズが以下の条件式（１）を満足することを特徴とする観察光学系。
０．１３＜DL3／ｆe＜０．３０                            ・・・（１）
ただし、DL3は第３レンズの光軸上の厚み、
ｆeは接眼レンズ系の焦点距離であり、接眼レンズ系がレンズの移動により視度
の調整が可能な場合は−１ディオプターにおける焦点距離、
とする。
【請求項２】
前記第３レンズの材料が以下の条件式（２）を満足する
ことを特徴とする請求項１記載の観察光学系。
１．４０＜NL3＜２．２０                                 ・・・（２）
ただし、NL3は第３レンズのｄ線に対する屈折率である。
【請求項３】
前記第３レンズが以下の条件式（３）を満足する形状である
ことを特徴とする請求項１記載の観察光学系。
１．６＜（RL3S＋RL3E）／（RL3S−RL３E）＜４．７         ・・・（３）
ただし、RL3Sは第３レンズのスクリーン側の近軸曲率半径、
RL3Eは第３レンズの射出瞳側の近軸曲率半径、
である。
【請求項４】
前記第３レンズが以下の条件式（４）を満足する
ことを特徴とする請求項１記載の観察光学系。
−２．１＜ｆL3／ｆe＜−０．８                           ・・・（４）
ただし、ｆL3は第３レンズの焦点距離である。
【請求項５】
前記第２レンズのいずれかの凸面が光軸から離れるほど曲率の絶対値が小さくなる形状の非球面である
ことを特徴とする請求項１記載の観察光学系。
【請求項６】
前記第２レンズが光軸方向に移動して視度調整を行う
ことを特徴とする請求項１記載の観察光学系。
【請求項７】
前記第２レンズが以下の条件式（５）を満足する
ことを特徴とする請求項１記載の観察光学系。
０．１３＜DL2／ｆe＜０．２４                            ・・・（５）
ただし、DL2は第２レンズの光軸上の厚みである。
【請求項８】
前記第２レンズの材料が以下の条件式（６）を満足する
ことを特徴とする請求項１記載の観察光学系。
１．４０＜NL2＜２．２                                   ・・・（６）
ただし、NL2は第２レンズのｄ線に対する屈折率である。
【請求項９】
前記第２レンズが以下の条件式（７）を満足する形状である
ことを特徴とする請求項１記載の観察光学系。
−０．６０＜（RL2S＋RL2E）／（RL2S−RL2E）＜−０．３０  ・・・（７）
ただし、RL2Sは第２レンズのスクリーン側の近軸曲率半径、
RL2Eは第２レンズの射出瞳側の近軸曲率半径、
である。
【請求項１０】
前記第２レンズが以下の条件式（８）を満足する
ことを特徴とする請求項１記載の観察光学系。
０．３＜ｆL2／ｆe＜０．５５                             ・・・（８）
ただし、ｆL2は第２レンズの焦点距離である。
【請求項１１】
前記第１レンズ群が以下の条件式（９）を満足する
ことを特徴とする請求項１記載の観察光学系
０．０２５＜DL1／ｆe＜０．０８                          ・・・（９）
ただし、DL1は第１レンズの光軸上の厚みである。
【請求項１２】
前記第１レンズの材料が以下の条件式（１０）を満足する
ことを特徴とする請求項１記載の観察光学系。
１．４＜NL1＜２．２                                    ・・・（１０）
ただし、NL1は第１レンズのｄ線に対する屈折率である。
【請求項１３】
前記第１レンズが以下の条件式（１１）を満足する形状である
ことを特徴とする請求項１記載の観察光学系。
０．８＜（RL1S＋RL1E）／（RL1S−RL1E）＜３．０        ・・・（１１）
ただし、RL1Sは第１レンズのスクリーン側の近軸曲率半径、
RL1Eは第１レンズの射出瞳側の近軸曲率半径、
である。
【請求項１４】
前記接眼レンズ系が以下の条件式（１２）を満足することを特徴とする請求項１記載の観察光学系。
−０．７０＜ｆL2／ｆL1＜−０．３０                    ・・・（１２）
ただし、ｆL1は、第１レンズの焦点距離、
ｆL2は、第２レンズの焦点距離、
である。
【請求項１５】
前記第１レンズと前記第２レンズとの間に形成される空気レンズが
以下の条件式を満足することを特徴とする請求項１記載の観察光学系。
３．０＜（RL1E＋RL2S）／（RL1E−RL2S）＜９．０        ・・・（１３）
ただし、RL1Eは第１レンズの射出瞳側の近軸曲率半径、
RL2Sは第２レンズのスクリーン側の近軸曲率半径、
である。
【請求項１６】
前記像正立光学系がダハ反射面を持つペンタダハプリズムであることを特徴とする請求項１記載の観察光学系。
【請求項１７】
撮影用光路上に配置され、撮影レンズにより形成された像を受光して電気信号に変換する撮像素子と、
撮影レンズからの光路を観察用光路と撮影用光路とに分割する反射鏡と、
前記観察用光路側に配置された請求項１記載の観察光学系
を有することを特徴とする撮影装置。
【発明の詳細な説明】
【技術分野】
【０００１】
本発明は、フォーカシングスクリーン上に結像した物体像を観察するための観察光学系およびそれを備えた撮像装置に関するものである。
【背景技術】
【０００２】
従来より、フィルムや電子撮像素子を用いる撮像装置として、一眼レフレックスカメラでは、撮影レンズにより被写体の像が投影されるフォーカシングスクリーン上の物体像を観察するために、ペンタダハプリズム等の像正立光学系とその像正立光学系から射出する光束を観察者の眼球に導く接眼レンズ系とを備えている。
【０００３】
このような観察光学系のうち、接眼レンズ系を、物体側から順に負レンズ、両凸正レンズ、射出瞳側に凹面を向けた負メニスカスレンズの３枚のレンズで構成し、両凸正レンズを光軸方向に移動させることで視度調整を行うものが、以下の各特許文献１〜７に開示されている。
【０００４】
これらの観察光学系の接眼レンズは、負、正、負の対称的な屈折力配置とし、かつ、正レンズの両側を凸面とすることで球面収差等の補正を良好にしている。そして、射出瞳側の負レンズをメニスカス形状とし、軸外主光線の入射角を小さくしつつ、接眼レンズの主点をスクリーン側に寄せる機能を果たしている。また、この正の屈折力が集中する両凸正レンズに非球面をもたせ、諸収差の補正をおこなっている。また、両凸正レンズを光軸に沿って移動させることで視度の調整を行っている。
【特許文献１】特開２０００−  ９８２６６号公報
【特許文献２】特開２００１−１００１１５号公報
【特許文献３】特開２００１−３１１８８１号公報
【特許文献４】特開２００１−３２４６８４号公報
【特許文献５】特開２００４−２５８２３４号公報
【特許文献６】特開２００５−  ５５８７４号公報
【特許文献７】特開２００６−  ９８９４８号公報
【発明の開示】
【発明が解決しようとする課題】
【０００５】
しかしながら、上述の特許文献１〜７に記載された観察光学系の接眼レンズ系は焦点距離が長く、広視野の観察像を得たい場合、フォーカシングスクリーン上の像サイズを大きくしなければならず、小型化に不向きである。
【０００６】
また、最近、撮像装置としてデジタル一眼レフレックスカメラが普及しているが、撮像面サイズが従来のライカ版フィルムの撮像面サイズと比較して小さくなっており、上述の観察光学系を用いると観察視野角が小さくなりやすい。
【０００７】
本発明は、接眼レンズ系の工夫により簡易な構成でありながら視野を確保した被写体観察が行える見やすい観察光学系およびそれを備えた撮像装置を提供することを目的とする。
【課題を解決するための手段】
【０００８】
上記課題を解決するために、本発明の観察光学系及びそれを備えた撮像装置は以下のものである。
【０００９】
撮影レンズによる物体像が形成されるスクリーンと、前記スクリーン上に結像された物体像を正立化する像正立光学系と、前記像正立光学系から射出する光束を観察者の眼球に導く正屈折力の接眼レンズ系を備えた観察光学系であって、前記像正立光学系は、複数の反射面を有し、前記接眼光学系が、スクリーン側から射出瞳側へ順に、負屈折力の第１レンズ、スクリーン側と射出瞳側の双方が凸面である第２レンズ、射出瞳側に凹面を向けたメニスカス形状である負屈折力の第３レンズからなり、前記第３レンズが以下の条件式（１）を満足することが好ましい。
０．１３＜DL3／ｆe＜０．３０                            ・・・（１）
ただし、DL3は第３レンズの光軸上の厚み、
ｆeは接眼レンズ系の焦点距離であり、接眼レンズ系がレンズの移動により視度
の調整が可能な場合は−１ディオプターにおける焦点距離とする。
【００１０】
接眼レンズ系を上述のごとく、スクリーン側から射出瞳側に順に、負レンズ、正レンズ、負レンズの配置とすることで接眼レンズ系内の屈折力配置の対称性がよくなり球面収差等の補正に有利となる。
【００１１】
また、正レンズである第２レンズの両側の面を凸面とすることで、正屈折力が集中する第２レンズの正屈折力を両側の屈折面で分担し、収差の低減と、接眼レンズ系全体の正屈折力の確保を行いやすくなる。
【００１２】
さらに、第３レンズを上述の形状とすることで、軸外主光線が第３レンズへ入射する角度を抑えやすくなり、第３レンズの偏心による収差への影響も低減しやすくなる。
【００１３】
また、接眼レンズ系を構成するレンズ枚数が少ないので、低コスト化に有利となる。
【００１４】
そして、本発明の観察光学系は負屈折力の第３レンズの光軸上の厚みが、上述の条件式（１）を満足することを特徴としている。
【００１５】
条件式（１）の下限０．１３を下回らないようにすることで、第３レンズの厚みを確保し、主点の調整、像面湾曲の補正に有利とすることが好ましい。
【００１６】
条件式（１）の上限０．３０を上回らないようにしてアイポイント（接眼レンズ系から射出瞳までの距離）を確保しやすくすることが好ましい。
【００１７】
このように、第３レンズが条件式（１）を満足する適度な厚さの負レンズとすることで、第３レンズ自体の主点を射出瞳寄りに位置させるとともに、第３レンズにおける負屈折力が集中する射出瞳側の屈折面を第1、第２レンズから適度に遠ざけることで、接眼レン
ズの焦点距離を小さくしやすく且つその際の収差の影響の低減に有利となる。
【００１８】
また、上述の発明において、以下の構成の少なくともいずれかを満足することがより好ましい。
【００１９】
第３レンズの材料が以下の条件式（２）を満足することが好ましい。
１．４０＜NL3＜２．２０                                 ・・・（２）
ただし、NL3は第３レンズのｄ線に対する屈折率である。
【００２０】
条件式（２）は第２レンズの好ましい屈折率を特定するものである。
【００２１】
条件式（２）の下限１．４０を下回らないようにすることで、第３レンズのレンズ面の曲率絶対値を小さくでき、諸収差を適切に抑えやすくなる。また、負屈折力の確保がしや
すくなり、アイポイントを確保しやすくなる。
【００２２】
条件式（２）の上限２．２０を上回らないようにすることで、材料のコストを抑える上で好ましい。また、高屈折率硝材を用いると特有の短波長側の吸収が起こりやすくなるが、これを抑えやすくなり、黄味を抑える上で好ましい。
【００２３】
第３レンズが以下の条件式（３）を満足する形状であることが好ましい。
１．６＜（RL3S＋RL3E）／（RL3S−RL３E）＜４．７         ・・・（３）
ただし、RL3Sは第３レンズのスクリーン側の近軸曲率半径、
RL3Eは第３レンズの射出瞳側の近軸曲率半径、
である。
【００２４】
条件式（３）は第３レンズの好ましい形状を特定するものである。
【００２５】
条件式（３）の下限１．６を下回らないようにすることで、軸外光線の主光線を屈折面に対して垂直に近い角度で入射させることができ、スクリーン側の面で発生する像面湾曲、非点収差を抑えやすくなる。
【００２６】
条件式（３）の上限４．７を上回らないようにして、射出瞳側の面の屈折力を抑えることで収差発生を抑えやすくなる。また、接眼レンズ全系の主点位置をスクリーン側に寄せる上で、第３レンズの主点位置が、瞳側に行きすぎないようにでき好ましい。また、製造上も好ましい。
【００２７】
第３レンズが以下の条件式（４）を満足することが好ましい。
−２．１＜ｆL3／ｆe＜−０．８                           ・・・（４）
ただし、ｆL3は第３レンズの焦点距離である。
条件式（４）は第３レンズの好ましい焦点距離を特定するものである。
【００２８】
条件式（４）の下限−２．１を下回らないようにすることで、第１、２レンズの屈折力をある程度強くすることができるため、第１レンズにおける軸外の光線高を抑えることができ、レンズ径を小さくしやすくなる。また、像正立光学系の小型化に有利となり、例えば像正立光学系をペンタダハプリズムとした場合、このプリズムの高さ方向を抑える上で好ましい。
【００２９】
条件式（４）の上限を上回らないようにすることで、第１、２レンズの屈折力が必要以上に大きくしなくてもよくなり、偏心による性能劣化を抑えることができる。また、第１レンズの屈折力を抑えることで、第２レンズをよりスクリーン側に近づけることができ、結果として接眼レンズの主点位置をスクリーン側に近づけることができるため、レンズ焦点距離を短くし倍率を大きくする上で好ましい。
【００３０】
第２レンズのいずれかの凸面が光軸から離れるほど曲率の絶対値が小さくなる形状の非球面であることが好ましい。
【００３１】
第２レンズは正の屈折力が強くなりやすい。また、軸上光束と軸外光束が適度に離れる位置に配置される。そのため、第２レンズに上述の非球面を持たせることで、軸上収差、軸外収差共に補正しやすくなる。
【００３２】
第２レンズが光軸方向に移動して視度調整を行うことが好ましい。
【００３３】
第２レンズは適度に屈折力を待たせやすく、視度調整のための移動させることで視度調
整のためのスペースを小さくでき好ましい。
【００３４】
第２レンズが以下の条件式（５）を満足することが好ましい。
０．１３＜DL2／ｆe＜０．２４                            ・・・（５）
ただし、DL2は第２レンズの光軸上の厚みである。
【００３５】
条件式（５）は第２レンズの好ましい光軸上の厚みを特定するものである。
【００３６】
条件式（５）の下限０．１３を下回らないようにすることで、第２レンズの両側の凸面の曲率絶対値を抑えつつ第２レンズで発生する収差を抑える上で好ましい。
【００３７】
条件式（５）の上限０．２４を上回らないようにすることで、製造上好ましい。また、第２レンズの厚みを適度に抑えることで、スクリーンと第３レンズとの距離が長くなりすぎることを抑え、第３レンズの屈折力を抑えつつ接眼レンズの主点位置をスクリーン側に寄せやすくなり収差補正上有利となる。
【００３８】
また、第２レンズの材料が以下の条件式（６）を満足することが好ましい。
１．４０＜NL2＜２．２                                   ・・・（６）
ただし、NL2は第２レンズのｄ線に対する屈折率である。
【００３９】
条件式（６）は第２レンズの好ましい屈折率を特定するものである。
【００４０】
条件式（６）の下限１．４０を下回らないようにすることで、第２レンズの曲率絶対値を小さくしやすくなり、諸収差を適切に抑えられる。且つ第２レンズが偏心したときの性能劣化を抑えやすくなる。
【００４１】
条件式（６）の上限２．２を上回らないようにすることで、材料のコストを抑える上で好ましい。また、高屈折率硝材を用いると特有の短波長側の吸収が起こりやすくなるが、これを抑えやすくなり、黄味を抑える上で好ましい。
【００４２】
第２レンズが以下の条件式（７）を満足する形状であることが好ましい。
−０．６０＜（RL2S＋RL2E）／（RL2S−RL2E）＜−０．３０  ・・・（７）
ただし、RL2Sは第２レンズのスクリーン側の近軸曲率半径、
RL2Eは第２レンズの射出瞳側の近軸曲率半径
である。
【００４３】
条件式（７）は第２レンズの好ましい形状を特定するものである。
【００４４】
条件式（７）の下限−０．６０を下回らず、且つ、上限−０．３０を上回らないようにすることで、両面で屈折力を分け合うことができるため、偏心による性能劣化を抑えることができ好ましい。
【００４５】
また、第２レンズのスクリーン側の面は第１レンズと収差の打ち消す関係となり、第２レンズの射出瞳側の面は第３レンズのスクリーン側面と収差の打ち消す関係となるため、諸収差を抑える上で好ましい
【００４６】
また、第２レンズが以下の条件式（８）を満足することが好ましい。
０．３＜ｆL2／ｆe＜０．５５                             ・・・（８）
ただし、ｆL2は第２レンズの焦点距離である。
【００４７】
条件式（８）は第２レンズのより好ましい屈折力を特定するものである。
【００４８】
条件式（８）の下限０．３を下回らないようにすることで、第２レンズの屈折力を抑え、第３レンズのスクリーン側の凸面とで正屈折力を分担することで諸収差の低減、偏心による収差変動の低減に有利となる。
【００４９】
条件式（８）の上限０．５５を上回らないようにして、第２レンズの正屈折力を確保し、接眼レンズ系の屈折力や主点をスクリーンよりにする機能を確保することが好ましい。また、第１レンズの屈折力を強くできるため、軸外の光線高を抑えることができ、小型化およびアイポイントを確保することができる。
【００５０】
また、第１レンズ群が以下の条件式（９）を満足することが好ましい。
０．０２５＜DL1／ｆe＜０．０８                           ・・・（９）
ただし、DL1は第１レンズの光軸上の厚みである。
条件式（９）は第１レンズの好ましい光軸上の厚みを特定するものである。
【００５１】
条件式（９）の下限０．０２５を下回らないようにすることで、肉厚を確保し、製造上の強度を確保しやすくなる。
【００５２】
条件式（９）の上限０．０８を上回らないようにすることで、第２レンズをよりスクリーン側に近づけることができ、結果として主点位置をスクリーン側に近づけることができるため、レンズ焦点距離を短くする上で好ましい。
【００５３】
第１レンズの材料が以下の条件式（１０）を満足することが好ましい。
１．４＜NL1＜２．２                                   ・・・（１０）
ただし、NL1は第１レンズのｄ線に対する屈折率である。
【００５４】
条件式（１０）は、第１レンズの好ましい屈折率を特定するものである。
【００５５】
条件式（１０）の下限１．４を下回らないようにすることで、第１レンズの曲率絶対値を小さくでき、諸収差を適切に抑えやすくなる。且つ、偏心したときの性能劣化を抑えることにも有利となる。また、第１レンズの肉厚を抑えやすくなり、第２レンズをよりスクリーンに近づけることができ、結果として主点位置をスクリーン側に近づけることができるため、レンズ焦点距離を短くする上で好ましい。
【００５６】
条件式（１０）の上限２．２を上回らないようにすることで、材料のコストを抑える上で好ましい。また、高屈折率硝材を用いると特有の短波長側の吸収が起こりやすくなるが、これを抑えやすくなり、黄味を抑える上で好ましい。
【００５７】
また、第１レンズが以下の条件式（１１）を満足する形状であることが好ましい。
０．８＜（RL1S＋RL1E）／（RL1S−RL1E）＜３．０              （１１）
ただし、RL1Sは第１レンズのスクリーン側の近軸曲率半径、
RL1Eは第１レンズの射出瞳側の近軸曲率半径、
である。
【００５８】
条件式（１１）は第１レンズの好ましい形状を特定するものである。
【００５９】
条件式（１１）の下限０．８を下回らないようにすることで、瞳側の面の曲率と第２レンズのスクリーン側の曲率とが近くなり、互いに諸収差を打ち消しあうことができ、全系の像面湾曲、非点収差を抑える上で好ましい。また、第２レンズにおける軸外の光線高を
抑えることができるため、スペースの効率化、第２レンズで発生する収差を低減する上で好ましい。
【００６０】
条件式（１１）の上限３．０を上回らないようにすることで、瞳側の面の曲率と第２レンズのスクリーン側の曲率とが近くなり、互いに諸収差を打ち消しあうことができ、全系の像面湾曲、非点収差を抑える上で好ましい。
【００６１】
また、接眼レンズ系が以下の条件式（１２）を満足することが好ましい。
−０．７０＜ｆL2／ｆL1＜−０．３０                    ・・・（１２）
ただし、ｆL1は、第１レンズの焦点距離、
ｆL2は、第２レンズの焦点距離、
である。
【００６２】
条件式（１２）は第１レンズと第２レンズとのより好ましい屈折力のバランスを特定するものである。
【００６３】
条件式（１２）の下限−０．７０を下回らないようにして、第１レンズの負屈折力を適度に抑えることで接眼レンズ系のサイズを抑えることに有利となり好ましい。
【００６４】
条件式（１２）の上限−０．３０を上回らないようにして、第１レンズの負屈折力を確保することで収差補正機能、視野を広げる機能の確保を行うことが好ましい。
【００６５】
また、第１レンズと前記第２レンズとの間に形成される空気レンズが以下の条件式を満足することが好ましい。
３．０＜（RL1E＋RL2S）／（RL1E−RL2S）＜９．０        ・・・（１３）
ただし、RL1Eは第１レンズの射出瞳側の近軸曲率半径、
RL2Sは第２レンズのスクリーン側の近軸曲率半径、
である。
【００６６】
条件式（１３）の下限３．０を下回らないようにすることで、第２レンズのスクリーン側の面と第１レンズの瞳側面との収差の打ち消す関係にあるため、諸収差を抑える上で好ましい。
【００６７】
条件式（１３）の上限９．０を上回らないようにすることで、第１、２レンズ単体の収差を抑え、偏心時の性能劣化を軽減する上で好ましい。
【００６８】
また、像正立光学系がダハ反射面を持つペンタダハプリズムであることが好ましい。
【００６９】
ペンタダハプリズムとすることで光路の折り返しを小さいスペースで行え、像正立光学系の小型化に有利となる。また、スクリーンから接眼レンズ系までの空気換算距離を短くでき接眼レンズ系の倍率の確保に有利となる。
【００７０】
撮影用光路上に配置され、撮影レンズにより形成された像を受光して電気信号に変換する撮像素子と、撮影レンズからの光路を観察用光路と撮影用光路とに分割する反射鏡と、前記観察用光路側に配置された観察光学系を有することが好ましい。
【００７１】
撮像素子はフィルムに比べて光線の入射角の制約を受けやすい。そのため、撮像素子の受光面へ垂直に近い状態で入射させつつ撮影レンズも適度なサイズとするために撮像素子の撮像面サイズを適度に小さくすることが多い。
【００７２】
一方、撮像面が小さいと観察視野も小さくなりやすいので、本発明の観察光学系を用いることで小型ながら広い視野で被写体を観察できる撮影装置を構成でき好ましい。
【００７３】
上述の各発明は、任意に複数同時に満足することが小型化、高性能化等何れかに有利となり好ましい。
【００７４】
上述の各条件式も複数同時に満足することが好ましい。
【００７５】
また、各条件式についいて以下のようにすることがより好ましい。
【００７６】
条件式（１）について、下限値を０．１４、更には０．１５とすることがより好ましい。また、上限値を０．２８、更には０．２６とすることがより好ましい。
【００７７】
条件式（２）について、下限値を１．４５、更には１．４９とすることがより好ましい。また、上限値を２．００、更には１．８２とすることがより好ましい。
【００７８】
条件式（３）について、下限値を１．７、更には１．８とすることがより好ましい。また、上限値を４．５、更には４．３とすることがより好ましい。
【００７９】
条件式（４）について、下限値を−２．００、更には−１．９５とすることがより好ましい。また、上限値を−０．８５、更には−０．９０とすることがより好ましい。
【００８０】
条件式（５）について、下限値を０．１５、更には０．１６とすることがより好ましい。また、上限値を０．２２、更には０．２０とすることがより好ましい。
【００８１】
条件式（６）について、下限値を１．４５、更には１．４９とすることがより好ましい。また、上限値を２．００、更には１．８２とすることがより好ましい。
【００８２】
条件式（７）について、下限値を−０．５０、更には−０．４５とすることがより好ましい。また、上限値を−０．３５、更には−０．３７とすることがより好ましい。
【００８３】
条件式（８）について、下限値を０．３５、更には０．３９とすることがより好ましい。また、上限値を０．５０、更には０．４７とすることがより好ましい。
【００８４】
条件式（９）について、下限値を０．０３０、更には０．０３５とすることがより好ましい。また、上限値を０．０７０、更には０．０６０とすることがより好ましい。
【００８５】
条件式（１０）について、下限値を１．４５、更には１．４９とすることがより好ましい。また、上限値を２．００、更には１．８２とすることがより好ましい。
【００８６】
条件式（１１）について、下限値を０．９、更には１．０とすることがより好ましい。また、上限値を２．８、更には２．５とすることがより好ましい。
【００８７】
条件式（１２）について、下限値を−０．６５、更には−０．６０とすることがより好ましい。また、上限値を−０．３４、更には−０．３７とすることがより好ましい。
【００８８】
条件式（１３）について、下限値を３．５、更には４．０とすることがより好ましい。また、上限値を８．５、更には８．０とすることがより好ましい。
【発明の効果】
【００８９】
本発明によれば、接眼レンズ系の工夫により簡易な構成でありながら視野を確保した被写体観察が行える見やすい観察光学系およびそれを備えた撮像装置を提供できる。
【発明を実施するための最良の形態】
【００９０】
以下、本発明の実施例について図面を用いて説明する。
【００９１】
図１は本発明の観察光学系を備えた一眼レフレックスカメラの一実施形態を示す各実施例に共通の概略構成図である。
【００９２】
図１の一眼レフレックスカメラ１は、図示しないマウント部により、カメラに対して撮影レンズ２が交換可能に構成されている。なお、本発明では撮影レンズを含まない構成であっても、撮影レンズが装着可能に構成されていれば一眼レフレックスカメラ（撮像装置）であるものと定義する。
【００９３】
図１において、４は撮像素子としてのＣＣＤ（ＣＭＯＳ等も可）である。このＣＣＤからの信号を元に処理回路で画像処理を行い、メモリーに画像情報を記憶させる。記憶された画像情報は、図示しないパソコン等により画像表示を行ったり、種々の情報記憶媒体に情報を記録し、保管することができる。
【００９４】
５は撮影レンズ２の光軸３上に撮影レンズ２とＣＣＤ４との間に配置されたクイックリターンミラー、６はクイックリターンミラーより反射された光路に配置されたファインダースクリーンであり、入射面又は射出面側は砂ずり面で構成されている。この面に物体像が形成される。
【００９５】
７は像正立光学系としてのペンタダハプリズムであり、ペンタダハプリズム７は光路順に、平面入射面７ａ、ダハ反射面７ｂ、平面反射面７ｃ、平面射出面７ｄを備えて構成され、スクリーン面に形成された物体像を正立化する。像正立光学系としてポロプリズム状に光路の反射する方式を用いてもよいが、小型化の点ではペンタダハプリズムが有利である。８は接眼レンズ系である。
【００９６】
ペンタダハプリズムや接眼レンズ系は、後述する各実施例に示すいずれかの態様で構成されている。
【００９７】
接眼レンズ系８の射出側には、カバーガラスとしての平行平面板９が設けられている。接眼レンズ系の射出瞳側のレンズ成分をカバー部材として兼用し、カバーガラスを省略してもよい。
【００９８】
そして、射出した光束は射出瞳の近くに位置する観察者の瞳１０に導かれ、撮影しようとする画像が観察される。
【００９９】
なお、一眼レフレックスカメラは、撮影レンズ２が一眼レフレックスカメラ本体と一体化し、一眼レフレックスカメラに対して交換可能でない構成であっても構わない。
【０１００】
また、クイックリターンミラー５の代わりにハーフミラーや光路分割プリズムを用いた構成であっても構わない。
【０１０１】
また、スクリーン面６は砂ずり面のほかに、二次元パターンで配列した微小プリズムの集合した面や、ホログラム面等で構成してもよい。
【０１０２】
また、スクリーン面６に対向する面をフレネルレンズ面や凸面等の収斂作用を持つ光学
面で構成し、画面周辺の集光作用を高めるようにしてもよい。
また、この像正立光学系のプリズムの入射面や射出面に光学的屈折力をもたせるか、又は、スクリーン面６の近傍に視野レンズを配置することで、より収差補正、集光効率の向上等を行うことが可能となる。
【０１０３】
図２は、本発明による観察光学系および撮像装置の第１実施例にかかる光学構成を示す光軸に沿う断面図であり、（ａ）は視度が−１ｍ-1のとき、（ｂ）は視度が＋１ｍ-1のとき、（ｃ）は視度が−３ｍ-1のときの状態を示している。
【０１０４】
なお、図２における平行平板状部材は説明の便宜上ペンタダハプリズムを転開して示したものである。カバーガラスは空気換算し、図では省略している。以下の実施例でも同様である。
【０１０５】
第１実施例の観察光学系および撮像装置は、物体像が形成される砂ズリ面をもつフォーカシングスクリーン６と、ペンタダハプリズム７と、接眼レンズ系８を備えている。
【０１０６】
接眼レンズ系８は、スクリーン側より順に、スクリーン側に凸面を向けた負メニスカスレンズからなる第１レンズ８ａと、両凸正レンズからなる第２レンズ８ｂと、スクリーン側に凸面を向けた負メニスカスレンズからなる第３レンズ８ｃとで構成されている。また、視度調整は第２レンズ８ｂを移動して行うようになっている。
【０１０７】
非球面は、負メニスカスレンズからなる第１レンズ８ａの射出瞳側面、両凸正レンズからなる第２レンズ８ｂの両面に用いている。
【０１０８】
図３は、本発明による観察光学系および撮像装置の第２実施例にかかる光学構成を示す光軸に沿う断面図であり、（ａ）は視度が−１ｍ-1のとき、（ｂ）は視度が＋１ｍ-1のとき、（ｃ）は視度が−３ｍ-1のときの状態を示している。
【０１０９】
第２実施例の観察光学系および撮像装置は、物体像が形成される砂ズリ面をもつフォーカシングスクリーン６と、ペンタダハプリズム７と、接眼レンズ系８を備えている。
【０１１０】
接眼レンズ系８は、スクリーン側より順に、スクリーン側に凸面を向けた負メニスカスレンズからなる第１レンズ８ａと、両凸正レンズからなる第２レンズ８ｂと、スクリーン側に凸面を向けた負メニスカスレンズからなる第３レンズ８ｃとで構成されている。また、視度調整は第２レンズ８ｂを移動して行うようになっている。
【０１１１】
非球面は、負メニスカスレンズからなる第１レンズ８ａの射出瞳側面、両凸正レンズからなる第２レンズ８ｂの両面に用いている。
【０１１２】
図４は、本発明による観察光学系および撮像装置の第３実施例にかかる光学構成を示す光軸に沿う断面図であり、（ａ）は視度が−１ｍ-1のとき、（ｂ）は視度が＋１ｍ-1のとき、（ｃ）は視度が−３ｍ-1のときの状態を示している。
【０１１３】
第３実施例の観察光学系および撮像装置は、物体像が形成される砂ズリ面をもつフォーカシングスクリーン６と、ペンタダハプリズム７と、接眼レンズ系８を備えている。
【０１１４】
接眼レンズ系８は、スクリーン側より順に、スクリーン側に平面を向けた平凹負レンズからなる第１レンズ８ａと、両凸正レンズからなる第２レンズ８ｂと、スクリーン側に凸面を向けた負メニスカスレンズからなる第３レンズ８ｃとで構成されている。また、視度調整は第２レンズ８ｂを移動して行うようになっている。
【０１１５】
非球面は、平凹負レンズからなる第１レンズ８ａの射出瞳側面、両凸正レンズからなる第２レンズ８ｂの両面に用いている。
【０１１６】
図５は、本発明による観察光学系および撮像装置の第４実施例にかかる光学構成を示す光軸に沿う断面図であり、（ａ）は視度が−１ｍ-1のとき、（ｂ）は視度が＋１ｍ-1のとき、（ｃ）は視度が−３ｍ-1のときの状態を示している。
【０１１７】
第４実施例の観察光学系および撮像装置は、物体像が形成される砂ズリ面をもつフォーカシングスクリーン６と、ペンタダハプリズム７と、接眼レンズ系８を備えている。
【０１１８】
接眼レンズ系８は、スクリーン側より順に、スクリーン側に凸面を向けた負メニスカスレンズからなる第１レンズ８ａと、両凸正レンズからなる第２レンズ８ｂと、スクリーン側に凸面を向けた負メニスカスレンズからなる第３レンズ８ｃとで構成されている。また、視度調整は第２レンズ８ｂを移動して行うようになっている。
【０１１９】
非球面は、両凸正レンズからなる第２レンズ８ｂの両面、負メニスカスレンズからなる第３レンズ８ｃのスクリーン側面に用いている。
【０１２０】
図６は、本発明による観察光学系および撮像装置の第５実施例にかかる光学構成を示す光軸に沿う断面図であり、（ａ）は視度が−１ｍ-1のとき、（ｂ）は視度が＋１ｍ-1のとき、（ｃ）は視度が−３ｍ-1のときの状態を示している。
【０１２１】
第５実施例の観察光学系および撮像装置は、物体像が形成される砂ズリ面をもつフォーカシングスクリーン６と、ペンタダハプリズム７と、接眼レンズ系８を備えている。
【０１２２】
接眼レンズ系８は、スクリーン側より順に、スクリーン側に凸面を向けた負メニスカスレンズからなる第１レンズ８ａと、両凸正レンズからなる第２レンズ８ｂと、スクリーン側に凸面を向けた負メニスカスレンズからなる第３レンズ８ｃとで構成されている。また、視度調整は第２レンズ８ｂを移動して行うようになっている。
【０１２３】
非球面は、負メニスカスレンズからなる第１レンズ８ａの射出瞳側面、両凸正レンズからなる第２レンズ８ｂの両面に用いている。
【０１２４】
図７は、本発明による観察光学系および撮像装置の第６実施例にかかる光学構成を示す光軸に沿う断面図であり、（ａ）は視度が−１ｍ-1のとき、（ｂ）は視度が＋１ｍ-1のとき、（ｃ）は視度が−３ｍ-1のときの状態を示している。
【０１２５】
第６実施例の観察光学系および撮像装置は、物体像が形成される砂ズリ面をもつフォーカシングスクリーン６と、ペンタダハプリズム７と、接眼レンズ系８を備えている。
【０１２６】
接眼レンズ系８は、スクリーン側より順に、スクリーン側に平面を向けた平凹負レンズからなる第１レンズ８ａと、両凸正レンズからなる第２レンズ８ｂと、スクリーン側に凸面を向けた負メニスカスレンズからなる第３レンズ８ｃとで構成されている。また、視度調整は第２レンズ８ｂを移動して行うようになっている。
【０１２７】
非球面は、平凹負レンズからなる第１レンズ８ａの射出瞳側面、両凸正レンズからなる第２レンズ８ｂの両面に用いている。
【０１２８】
次に、第１乃至第６実施例にかかる観察光学系の数値データを示す。
【０１２９】
以下、各実施例において、ｒはレンズ面の近軸曲率半径、ｄはレンズ肉厚および空気間隔、Ｎｄおよびνｄはｄ線（λ＝５８７．６ｎｍ）における屈折率及びアッべ数である。また、Ｋは円錐係数、A4、A6、A8、A10は非球面係数、E±nは×１０±nをそれぞれ示している。
【０１３０】
また、各非球面形状は、各実施例における各非球面係数を用いて、以下の式で表される。
【０１３１】
Ｚ＝（Ｙ2／ｒ）／[１＋｛１−（１＋Ｋ）・（Ｙ／ｒ）2｝1/2]
＋A4×Ｙ4＋A6×Ｙ6＋A8×Ｙ8＋A10×Ｙ10
ただし、光軸方向の座標をＺ、光軸と垂直な方向の座標をＹとする。
【０１３２】
実施例１
単位     ｍｍ
面データ
面番号                   ｒ         ｄ        ｎｄ      νｄ
1（被写体像面）       ∞        4.8
2                     ∞       73.3      1.5168     64.2
3                     ∞        1
4                   82.5319     1.8      1.58423    30.49
5（非球面）         22.9057    可変
6（非球面）         16.0429     9.3      1.52542    55.78
7（非球面）        -36.3694    可変
8                   56.8988    12.2      1.49236    57.86
9                   17.6494    15
射出瞳                   ∞
非球面データ
第5面
K=-0.5215,A4=-1.3857E-05,A6=1.1725E-08,A8=3.7397E-11,A10=-3.3547E-13
第6面
K=-0.6129,A4=-3.2469E-05,A6=-2.9503E-08,A8=2.2083E-10,A10=-2.1820E-13
第7面
K=-1.2109,A4=-1.6006E-06,A6=-1.4712E-08,A8=1.6337E-10,A10=-1.2706E-13
各種データ
視度(m-1)        +1       -1       -3 
d5            3.395    2.014    0.725
d7            0.745    2.126    3.415
焦点距離        48.7832  47.9754  49.6796 
視野角（°）    25.7328  26.0664  26.2011
瞳径（直径）    φ=8
物体像対角長      22mm
各レンズ焦点距離
第１レンズ           -54.879
第２レンズ            22.567
第３レンズ           -57.904
【０１３３】
実施例２
単位     ｍｍ
面データ
面番号                   ｒ         ｄ        ｎｄ      νｄ
1（被写体像面）       ∞        4.8
2                     ∞       73.3      1.5168     64.2
3                     ∞        0.8
4                   75.0796     2.8      1.58423    30.49
5（非球面）         22.341     可変
6（非球面）         14.6988     9.1      1.52542    55.78
7（非球面）        -32.9176    可変
8                   47.0751     7.5      1.8061     40.92
9                   18.9104    15
射出瞳                   ∞
非球面データ
第5面
K=-0.0529,A4=-5.4215E-06,A6=-9.7564E-08,A8=1.7451E-10,A10=1.0562E-13
第6面
K=-0.5800,A4=-1.9103E-05,A6=-1.7948E-07,A8=-7.1919E-11,A10=3.6418E-12
第7面
K=-4.2569,A4=-3.0052E-06,A6=-9.8448E-08,A8=3.8044E-10,A10=1.2979E-12
各種データ
視度(m-1)        +1       -1       -3 
d5            3.717    2.029    0.600
d7            0.700    2.388    3.817
焦点距離        49.5610  49.4495  49.5691 
視野角（°）    24.8972  25.8470  26.4151
瞳径（直径）    φ=8
物体像対角長      22mm
各レンズ焦点距離
第１レンズ           -55.5262
第２レンズ            20.6863
第３レンズ           -44.4303
【０１３４】
実施例３
単位     ｍｍ
面データ
面番号                   ｒ         ｄ        ｎｄ      νｄ
1（被写体像面）       ∞        4.8
2                     ∞       73.3      1.5168     64.2
3                     ∞        1 
4                     ∞        1.8      1.58423    30.49 
5（非球面）         21.4665    可変
6（非球面）         15.3104     8.8      1.52542    55.78
7（非球面）        -34.1421    可変
8                   24.902     10.2      1.8061     40.92
9                   15.3564    15
射出瞳                   ∞
非球面データ
第5面
K=-0.6215,A4=-1.4562E-05,A6=3.2902E-08,A8=-1.8656E-10,A10=-6.6707E-14
第6面
K=-0.7522,A4=-4.3141E-05,A6=2.9318E-08,A8=1.1875E-11,A10=-6.6748E-14
第7面
K=-0.5090,A4=-9.6141E-06,A6=2.3294E-08,A8=4.0506E-11,A10=-9.4520E-14
各種データ
視度(m-1)        +1       -1       -3 
d5            2.100    1.350    0.600
d7            0.500    1.250    2.000
焦点距離        46.8357  48.8523  51.0896 
視野角（°）    26.2971  26.0901  25.8185
瞳径（直径）    φ=8
物体像対角長      22mm
各レンズ焦点距離
第１レンズ           -36.7433
第２レンズ            21.4315
第３レンズ           -95.0094
【０１３５】
実施例４
単位     ｍｍ
面データ
面番号                   ｒ         ｄ        ｎｄ      νｄ
1（被写体像面）       ∞        4.8
2                     ∞       73.3      1.5168     64.2
3                     ∞        0.8
4                   60.8895     1.8      1.80518    25.42
5                   26.0505    可変
6（非球面）         16.0922     9.3      1.52542    55.78
7（非球面）        -36.9303    可変
8（非球面）         52.735     10.5      1.49236    57.86
9                   17.6826    15
射出瞳                   ∞
非球面データ
第６面
K=-0.6251,A4=-1.9397E-05,A6=-7.1378E-08,A8=2.2342E-10,A10=4.7558E-13
第７面
K=-0.1438,A4=-1.5075E-05,A6=2.3309E-08,A8=-1.6146E-11,A10=5.5798E-13
第８面
K=0.0000,A4=-1.4882E-05,A6=3.1965E-08,A8=-5.1603E-10
各種データ
視度(m-1)        +1       -1       -3 
d5            3.411    1.948    0.600
d7            0.600    2.063    3.411
焦点距離        48.0967  48.7848  49.5541 
視野角（°）    25.5157  26.0279  26.2650
瞳径（直径）    φ=8
物体像対角長      22mm
各レンズ焦点距離
第１レンズ           -57.8795
第２レンズ            22.7036
第３レンズ           -59.9564
【０１３６】
実施例５
単位     ｍｍ
面データ
面番号                   ｒ         ｄ        ｎｄ      νｄ
1（被写体像面）       ∞        4.8
2                     ∞       73.3      1.5168     64.2
3                     ∞        1
4                   82.154      1.8      1.58423    30.49
5（非球面）         22.1293    可変
6（非球面）         15.8744     9.5      1.52542    55.78
7（非球面）        -36.0202    可変
8                   53.508     10.95     1.49236    57.86
9                   17.486     15
射出瞳                   ∞
非球面データ
第5面
K=-0.3835,A4=-8.1079E-06,A6=-3.6738E-08,A8=8.9470E-11,A10=-1.7355E-13
第6面
K=-0.5533,A4=-2.1662E-05,A6=-7.5108E-08,A8=2.1634E-10,A10=-5.3330E-13
第7面
K=-2.4722,A4=2.2133E-06,A6=-2.5585E-08,A8=7.8882E-11,A10=-2.3889E-13
各種データ
視度(m-1)        +1       -1       -3 
d5            3.368    2.065    0.836
d7            2.082    3.385    4.614
焦点距離        48.2045  49.1622  50.2154 
視野角（°）    25.7045  25.9110  25.9316
瞳径（直径）    φ=8
物体像対角長      22mm
各レンズ焦点距離
第１レンズ           -52.4218
第２レンズ            22.3821
第３レンズ           -58.6348
【０１３７】
実施例６
単位     ｍｍ
面データ
面番号                   ｒ         ｄ        ｎｄ      νｄ
1（被写体像面）       ∞        4.8
2                     ∞       73.3      1.5168     64.2
3                     ∞        1
4                     ∞        1.8      1.58423    30.49 
5（非球面）         25.2545    可変
6（非球面）         19.4714     8        1.52542    55.78
7（非球面）        -48.4611    可変
8                   49.8666    10        1.49236    57.86
9                   17.4054    15
射出瞳                   ∞
非球面データ
第5面
K=-3.8867,A4=2.3551E-05,A6=-1.0626E-07,A8=1.9716E-10,A10=-7.2329E-14
第6面
K=-0.2495,A4=-2.4464E-05,A6=-4.4799E-08,A8=1.6857E-10,A10=-3.4462E-13
第7面
K=2.5887,A4=-9.1646E-07,A6=4.4658E-08,A8=-1.4185E-10,A10=2.4773E-13
各種データ
視度(m-1)        +1       -1       -3 
d5            2.700    1.618    0.600
d7            0.700    1.782    2.800
焦点距離        48.1204  49.3182  50.6255 
視野角（°）    25.7027  25.9297  25.9841
瞳径（直径）    φ=8
物体像対角長      22mm
各レンズ焦点距離
第１レンズ           -52.4218
第２レンズ            22.3821
第３レンズ           -58.6348
【０１３８】
次に、上記各実施例における条件式（１）〜（１３）の値を示す。
条件式     実施例１  実施例２  実施例３  実施例４  実施例５  実施例６
（１）    0.250     0.152     0.209     0.215     0.223     0.203 
（２）    1.49236   1.80610   1.80610   1.49236   1.49236   1.58423 
（３）    1.899     2.341     4.218     2.009     1.971     2.072 
（４）   -1.187    -0.898    -1.945    -1.229    -1.193    -1.047 
（５）    0.191     0.182     0.180     0.191     0.193     0.162 
（６）    1.52542   1.52542   1.52542   1.52542   1.52542   1.74320 
（７）   -0.388    -0.383    -0.381    -0.393    -0.388    -0.427 
（８）    0.463     0.418     0.439     0.465     0.455     0.399 
（９）    0.037     0.057     0.037     0.037     0.037     0.036 
（１０）    1.58423   1.58423   1.58423   1.80518   1.58423   1.58423 
（１１）    1.768     1.847     1.000     2.495     1.737     1.000 
（１２）   -0.411    -0.384    -0.583    -0.392    -0.427    -0.455 
（１３）    5.675     4.847     5.974     4.232     6.076     7.734 
【０１３９】
図８乃至１３は、各実施例における球面収差、像面湾曲、歪曲収差、倍率色収差を示す図であり、（ａ）は視度が−１ｍ-1のとき、（ｂ）は視度が＋１ｍ-1のとき、（ｃ）は視度が−３ｍ-1のときの状態を示している。なお、図８乃至図１３の球面収差と像面湾曲における横軸は視度（ｍ-1）、倍率色収差における横軸は角度（分）である。また、球面収差と倍率色収差は、５８７．６ｎｍ（ｄ線：実線）、４８６．１ｎｍ（Ｆ線：一点鎖線）、６５６．３ｎｍ（Ｃ線：点線）の各波長における数値を示してある。また非点収差は、実線がサジタル像面、点線がメリジオナル像面を示している。
【図面の簡単な説明】
【０１４０】
【図１】本発明の観察光学系を備えた一眼レフレックスカメラの一実施形態を示す各実施例に共通の概略構成図である。
【図２】本発明による観察光学系および撮像装置の第１実施例にかかる光学構成を示す光軸に沿う断面図である。
【図３】本発明による観察光学系および撮像装置の第２実施例にかかる光学構成を示す光軸に沿う断面図である。
【図４】本発明による観察光学系および撮像装置の第３実施例にかかる光学構成を示す光軸に沿う断面図である。
【図５】本発明による観察光学系および撮像装置の第４実施例にかかる光学構成を示す光軸に沿う断面図である。
【図６】本発明による観察光学系および撮像装置の第５実施例にかかる光学構成を示す光軸に沿う断面図である。
【図７】本発明による観察光学系および撮像装置の第６実施例にかかる光学構成を示す光軸に沿う断面図である。
【図８】第１実施例における球面収差、像面湾曲、歪曲収差、倍率色収差を示す図である。
【図９】第２実施例における球面収差、像面湾曲、歪曲収差、倍率色収差を示す図である。
【図１０】第３実施例における球面収差、像面湾曲、歪曲収差、倍率色収差を示す図である。
【図１１】第４実施例における球面収差、像面湾曲、歪曲収差、倍率色収差を示す図である。
【図１２】第５実施例における球面収差、像面湾曲、歪曲収差、倍率色収差を示す図である。
【図１３】第６実施例における球面収差、像面湾曲、歪曲収差、倍率色収差を示す図である。
【符号の説明】
【０１４１】
１…一眼レフレックスカメラ（カメラ本体）
２…撮影レンズ
３…光軸
４…ＣＣＤ（撮像素子）
５…クイックリターンミラー
６…ファインダースクリーン
７…ペンタダハプリズム
８…接眼レンズ系
８ａ…第１レンズ
８ｂ…第２レンズ
８ｃ…第３レンズ
９…平行平面板
１０…瞳
【図１】
2009251323.tif 000003
【図２】
2009251323.tif 000004
【図３】
2009251323.tif 000005
【図４】
2009251323.tif 000006
【図５】
2009251323.tif 000007
【図６】
2009251323.tif 000008
【図７】
2009251323.tif 000009
【図８】
2009251323.tif 000010
【図９】
2009251323.tif 000011
【図１０】
2009251323.tif 000012
【図１１】
2009251323.tif 000013
【図１２】
2009251323.tif 000014
【図１３】
2009251323.tif 000015